(57)【要約】【課題】電気通信サービスをユーザに提供する方法、とくに、加入者の国内と国外とのセルラ電話サービスを橋渡しする国際ローミングの解決策を提供すること。【解決手段】電気通信サービスをユーザに提供する方法であって、第一の電気通信ネットワーク内のユーザの第一のアイデンティティに対するユーザ情報を維持することと、第二の電気通信ネットワーク内の第二のアイデンティティによって、該ユーザ用の移動デバイスに対して、アクティブな存在を維持することと、該第一の電気通信ネットワークを該第二の電気通信ネットワークに結合するゲートウェーシステムを用いて、該第一のネットワーク内でユーザの存在をエミュレートすることとを包含する、方法。【選択図】図１
2007282239.tif 000002
【特許請求の範囲】
【請求項１】
電気通信サービスをユーザに提供する方法であって、
第一の電気通信ネットワーク内のユーザの第一のアイデンティティに対するユーザ情報を維持することと、
第二の電気通信ネットワーク内の第二のアイデンティティによって、該ユーザ用の移動デバイスに対して、アクティブな存在を維持することと、
該第一の電気通信ネットワークを該第二の電気通信ネットワークに結合するゲートウェーシステムを用いて、該第一のネットワーク内で該ユーザの存在をエミュレートすることと
を包含する、方法。
【請求項２】
前記第一のアイデンティティと前記第二のアイデンティティとの関係を維持することをさらに包含する、請求項１に記載の方法。
【請求項３】
前記第一および第二の電気通信ネットワークは、セルラネットワークである、請求項１に記載の方法。
【請求項４】
前記ゲートウェーシステムは、インターネットを介して、前記第一の電気通信ネットワークを前記第二の電気通信ネットワークに結合する、請求項１に記載の方法。
【請求項５】
前記第一のアイデンティティに向けられたコールトラフィックを、前記第二の電気通信ネットワークに転送することをさらに包含する、請求項１に記載の方法。
【請求項６】
前記コールトラフィックは、音声データである、請求項５に記載の方法。
【請求項７】
前記コールトラフィックは、テキストデータである、請求項５に記載の方法。
【請求項８】
前記コールトラフィックは、画像データである、請求項５に記載の方法。
【発明の詳細な説明】
【技術分野】
【０００１】
（背景）
本記載は、国際コールおよびデータルーティングに関する。
【背景技術】
【０００２】
国際ローミング能力によって、セルラ加入者が、自分の居住国内およびネットワークの外で、ローミングして、自分がほぼ居住国内にいるかのようにコールを発信・受信することができる。加入者の国内および国外双方のセルラ電話のオペレータは、このサービスに対する国際長距離・ローミング料金を課す。
【０００３】
この料金の一部は、ローカルなセルラ電話または加入者の国内ＧＳＭ電話の中に挿入されるべきローカルＧＳＭ  ＳＩＭカードを（目的地で）借りることによって回避され得る。
【０００４】
海外を旅行中に着信コールを受信するために、加入者は、発信者に、自分の海外セルラ番号をダイヤルするようにお願いするメッセージを自分のボイスメールに残し、その結果、発信者に長距離料金が課され得るか、あるいは、加入者は、自分の居住国のセルラ電話へのコール転送を起動し、そのコールを自動的に自分のローカルなセルラ電話に向け直し得る。加入者は、海外旅行の前後に、コール転送を手動で起動し、解除することを覚えてなくてはならない。
【発明の開示】
【課題を解決するための手段】
【０００５】
（概要）
一般的に、一局面において、電気通信サービスが、ユーザに提供される。第一の電気通信ネットワーク内のユーザの第一のアイデンティティに対するユーザ情報が維持される。該ユーザ用の移動デバイスに対して、アクティブな存在が、第二の電気通信ネットワーク内の第二のアイデンティティによって維持される。該第一のネットワーク内でユーザの存在が、該第一の電気通信ネットワークを該第二の電気通信ネットワークに結合するゲートウェーシステムを用いて、エミュレートされる。
【０００６】
インプリメンテーションは、以下の一つ以上の特徴を含み得る。上記第一のアイデンティティと上記第二のアイデンティティとの関係が維持される。上記第一および第二の電気通信ネットワークは、セルラネットワークである。上記ゲートウェーシステムは、インターネットを介して、上記第一の電気通信ネットワークを上記第二の電気通信ネットワークに結合する。上記第一のアイデンティティに向けられたコールトラフィックは、上記第二の電気通信ネットワークに転送される。上記コールトラフィックは、音声（ｓｏｕｎｄ）データである。上記コールトラフィックは、テキストデータである。上記コールトラフィックは、画像データである。
【０００７】
インプリメンテーションの利点は、以下の一つ以上を含み得る。加入者は、海外に旅行する間も、ローミング料金を支払うことなく、自分の国内セルラ電話サービス（通常のボイスサービス、ならびにボイスメール、ＳＭＳおよびＭＭＳのような一般的なセルラ電話サービスを含む）を受け得る。加入者は、自分の国内ネットワーク外でローミングするとき、コール転送を起動し、解除する手動のステップを要さずに、自分の国内移動電話番号への着信コールを受信し続ける。加入者は、海外にいる間、標準のレンタル移動電話を使用し得るし、あるいは、加入者は、自分のＧＳＭ電話の中に、海外ＳＩＭカードを挿入し得るので、特別なハンドセットは、一切要求されない。現行のＧＳＭハンドセットの設計に対して、あるいは現行のＧＳＭまたはＳＩＰプロトコルに対して、一切変更は要求されない。加入者の国内外でのセルラ電話サービスは、互換性を有するネットワークで動作する必要はなく、例えば、加入者の国内セルラ電話サービスがＣＤＭＡで、海外のセルラ電話がＧＳＭであり得るし、また、その逆もあり得る。
【０００８】
他の特徴および利点は、説明および請求項から明らかになる。
【０００９】
本発明は、さらに、以下の手段を提供する。
（項目１）
電気通信サービスをユーザに提供する方法であって、
第一の電気通信ネットワーク内のユーザの第一のアイデンティティに対するユーザ情報を維持することと、
第二の電気通信ネットワーク内の第二のアイデンティティによって、該ユーザ用の移動デバイスに対して、アクティブな存在を維持することと、
該第一の電気通信ネットワークを該第二の電気通信ネットワークに結合するゲートウェーシステムを用いて、該第一のネットワーク内で該ユーザの存在をエミュレートすることと
を包含する、方法。
（項目２）
上記第一のアイデンティティと上記第二のアイデンティティとの関係を維持することをさらに包含する、項目１に記載の方法。
（項目３）
上記第一および第二の電気通信ネットワークは、セルラネットワークである、項目１に記載の方法。
（項目４）
上記ゲートウェーシステムは、インターネットを介して、上記第一の電気通信ネットワークを上記第二の電気通信ネットワークに結合する、項目１に記載の方法。
（項目５）
上記第一のアイデンティティに向けられたコールトラフィックを、上記第二の電気通信ネットワークに転送することをさらに包含する、項目１に記載の方法。
（項目６）
上記コールトラフィックは、音声データである、項目５に記載の方法。
（項目７）
上記コールトラフィックは、テキストデータである、項目５に記載の方法。
（項目８）
上記コールトラフィックは、画像データである、項目５に記載の方法。
【００１０】
（摘要）
電気通信サービスが、ユーザに提供される。第一の電気通信ネットワーク内のユーザの第一のアイデンティティに対するユーザ情報が維持される。該ユーザ用の移動デバイスに対して、アクティブな存在が、第二の電気通信ネットワーク内の第二のアイデンティティによって維持される。該第一のネットワーク内でユーザの存在が、該第一の電気通信ネットワークを該第二の電気通信ネットワークに結合するゲートウェーシステムを用いて、エミュレートされる。
【発明を実施するための最良の形態】
【００１１】
（詳細な説明）
発明者らは、加入者の国内と国外とのセルラ電話サービスを橋渡しする国際ローミングの解決策を説明する。加入者は、自分のセルラ電話のサービスエリアを越えて旅行する間も、海外の（またはローカルな）セルラ電話を用いて、自分の国内セルラ電話サービス（通常のボイスサービス、ならびにボイスメール、ＳＭＳおよびＭＭＳのような一般的なセルラ電話サービス）を受信し得るので、これによって、ローミング料金を回避または削減できる。以下の用語：
ＢＳＣ  基地局コントローラ、
ＢＴＳ  基地トランシーバ局、
ＣＤＭＡ  符号分割多元接続、
Ｇ−ＭＳＣ  ゲートウェー移動交換センタ、
ＧＳＭ  移動通信用グローバルシステム、
ＧＷ  メディアゲートウェー、
ＨＬＲ  ホームロケーションレジスタ、
ＭＡＰ  移動アプリケーションパーツ、
ＭＤＮ  移動ディレクトリ番号、
ＭＳＣ  移動サービス交換センタ、
ＮＣＧ  ネットワーク収束ゲートウェー、
Ｓ−ＭＳＣ  サービング移動交換センタ、
ＳＩＭ  加入者識別モジュール、
ＳＭＳ  ショートメッセージサービス、
ＳＭＳＣ  ショートメッセージサービスセンタ、
ＶＭ  ボイスメールボックス
が、本説明で使用される。
【００１２】
発明者らが本明細書に記載する所定のインプリメンテーションは、ＧＳＭセルラネットワークの範疇で説明されるが、ＣＤＭＡセルラネットワーク、ならびに他の移動電話およびデータ標準の範疇においても有効である。
【００１３】
図１を参照すると、ネットワーク収束ゲートウェー（ＮＣＧ）１００は、ネットワークに国際ローミングの特徴を提供するために、ハイレベルなネットワークアーキテクチャを使用する。一部の例において、実際のサービス展開で、ＮＣＧ１００は、最適なネットワークを計画するために、戦略的に位置された幾つかの物理的ネットワークエレメントを備え得る。例えば、また、図２も参照すると、ＮＣＧ１００は、国内ネットワーク１０２Ａに物理的に位置する国内ＮＣＧ１００Ａと、他所に、例えば、海外ネットワーク１０２Ｂに位置する世界ＮＣＧ１００Ｂとを備える。どこに位置しても、また、複数のネットワークエレメントを備えていても備えなていなくても、ＮＣＧ１００は、単一のロジカルエレメントとして機能する。
【００１４】
一部の例において、ＮＣＧ１００は、ネットワーク１０２Ａおよび１０２Ｂ内のメディアゲートウェー（ＭＧＷ）１０４Ａおよび１０４と協働し、インターネット１０３を介するコールおよびデータ交換を円滑にする。ＮＣＧ１００は、また、ネットワーク１０２Ａおよび１０２Ｂ内の他の標準ネットワークエレメント（例えば、移動サービス交換センタ（ＭＳＣ）１０８Ａおよび１０８Ｂ、ホームロケーションレジスタ（ＨＬＲ）１１０Ａおよび１１０Ｂ、基地局コントローラ（ＢＳＣ）１１２Ａおよび１１２Ｂ、基地トランシーバ局（ＢＴＳ）１１７Ａおよび１１７Ｂ、ショートメッセージサービスセンタ（ＳＭＳＣ）１１４Ａおよび１１４Ｂ、ならびにボイスメールボックス（ＶＭ）１１６Ａおよび１１６Ｂ）とも協働し得る。
【００１５】
一部の例において、加入者１１５は、国内ネットワーク１０２Ａで一つのセルラ電話１０５Ａを、海外ネットワーク１０２Ｂで別のセルラ電話１０５Ｂを使用する。一部の例において、加入者１１５は、単一のＧＳＭセルラ電話１０５を使用するが、海外ネットワーク１０２Ｂで使用するために、自分のＧＳＭセルラ電話１０５の中の国内ＧＳＭ  ＳＩＭカード１０６Ａを海外ＳＩＭカード１０６Ｂに置き換える。
【００１６】
一部の例において、加入者１１５が海外ネットワーク１０２Ｂでアクティブである間、国内ネットワーク１０２Ａで、ＮＣＧ１００は、国内ネットワーク１０２Ａの加入者１１５用サービング移動交換センタ（Ｓ−ＭＳＣ）として機能する。ＮＣＧ１００は、国内ＨＬＲ１１０Ａを用いて、国内ネットワーク１０２Ａにロケーション登録を実行する。加入者１１５が、海外ネットワーク１０２Ｂにいるとき、国内ネットワークは、標準移動ネットワークプロトコルを用いて、加入者の国内セルラ電話１０５Ａへの着信コールを、国内ネットワーク１０２ＡのサービングＭＳＣとして、ＮＣＧ１００にルーティングする。ＮＣＧ１００は、国内ネットワーク１０２Ａに、海外ネットワーク１０２Ｂの海外ＧＷ１０４ＢへのＳＩＰメッセージとして転送されるべき国内ＧＷ１０４Ａへのコールを導くようにさせる。
【００１７】
一部の例において、海外セルラネットワーク１０２Ｂで、ＮＣＧ１００は、ゲートウェー移動交換センタ（Ｇ−ＭＳＣ）として機能し、着信コールを加入者１１５用国内ネットワーク１０２Ａから海外ネットワーク１０２Ｂへルーティングし、標準ＭＡＰプロトコルを用いて、海外ＧＷ１０４Ｂに、ＭＳＣ１０８Ｂを介してセルラ電話１０５Ｂへのコールを導くようにさせる。一部の例において、ＮＣＧ１００は、加入者の国内セルラ電話１０５Ａに対する識別子および対応する海外セルラ電話１０５Ｂに対する識別子を含むデータベース１１１Ｂにアクセスし、どのように着信コールをルーティングするかを決定する。
【００１８】
国内ネットワーク１０２Ａと国内ＧＷ１０４Ａとの間のコールレグ（ｃａｌｌ  ｌｅｇ）１１８Ａ、ならびに海外ネットワーク１０２Ｂと海外ＧＷ１０４Ｂとの間のコールレグ１１８Ｂは、ローカルコールであり、それゆえ、加入者１１５は、従来のローミング料金を回避または削減できる。
【００１９】
一部の例において、加入者１１５は、海外ネットワーク１０２Ｂにいる間、自分のローカルＳＩＭ１０６Ｂ上の自分の国内ネットワーク１０２Ａでの番号をコールする。二段階ダイヤルを避けるために、ロームドイン（ｒｏａｍｅｄ−ｉｎ）キャリア（またはローカルキャリア）は、国内ＧＷ１０４ＡおよびローカルＧＷ１０４Ｂを介してルーティングし得るコールに対するダイヤル局番として、フィーチャコード（ＦＣ）を確立し得る。ＦＣは、一般に、ＭＳＣのデータ翻訳テーブル５０１（図５参照）によって使用され、例えば、天気通報、交通、またはラジオ局のような特別なサービスにコールをルーティングする。ＦＣは、ＭＳＣに、コールを特定のトランク（ｔｒｕｎｋ）グループにルーティングするように命令する。外線に繋げるために、ＰＢＸで「９」をダイヤルするのと同様に、海外ＳＩＭを用いる加入者は、ＦＣを用いて、国際ローミングサービスを介してコールを行う。
【００２０】
図２を参照すると、例示として、シンガポールの加入者１１５が、韓国に旅行する。加入者１１５は、韓国に着くと、韓国ＳＩＭ１０６Ｂを自分のＧＳＭセルラ電話１０５に挿入する。
【００２１】
一部の例において、海外ＳＩＭカード（本明細書では、韓国ＳＩＭ１０６Ｂ）の識別番号範囲は、韓国ＨＲＬ１１０Ｂの中に、および、世界ＮＣＧ１００Ｂに対するデータベース１１１Ｂの中に、シンガポールで加入者のＭＤＮとの関係を形成するように、事前にプログラムされている。この関係をプログラムするために、幾つかのメカニズムが可能である。一部の例において、加入者１１５は、自助ウェブサイト１１３の中にログインし、自分の国内ＳＩＭカード１０６Ａに対する識別子を、一つ以上の海外ＳＩＭカード１０６Ｂ（おそらく、加入者が頻繁に旅行する各国に対して一つ）に対する識別子とともに入力する。別の例において、自分の海外ＳＩＭ／ＭＤＮ１０６Ｂをオペレータ経由で取得するために、加入者１１５は、無料の顧客サービス電話番号にコールする。この関係は、また、加入者１１５がＳＭＳを送信して、自分の国内ＳＩＭ／ＭＤＮ１０６Ａの世界ＮＣＧ１００Ｂを通知するように促すことによっても生じ得る。
【００２２】
図３を参照すると、一部の例において、世界ＮＣＧ１００Ｂは、ローカルＨＬＲ１１０Ｂに、ローカルＳＩＭ１０６Ｂがネットワーク内でアクティブになるときを世界ＮＣＧ１００Ｂに通知するように求める（ステップ３００）。世界ＮＣＧ１００Ｂは、実質的に、この場合、ＳＭＳＣとして機能し、一般的なＭＡＰ方法を用いて、ＳＭＳメッセージは、加入者１１５を待っている旨をローカルＨＬＲ１１０Ｂに伝える（ステップ３００Ａ）。ローカルＨＬＲ１１０Ｂは、自身がＳＭＳを受信するとき、承認を発行する（ステップ３００Ｂ）。ローカルＳＩＭ１０６Ｂが、アクティブになるとき、ローカルＨＬＲ１１０Ｂへのノーマルな登録が生じる（ステップ３０２）。一部の例において、ＳＩＭ１０６Ｂは、ローカルＭＳＣ１０８Ｂに登録し（ステップ３０２Ａ）、ローカルＭＳＣは、ローカルＨＬＲ１１０Ｂで、ＳＩＭ１０６Ｂのロケーションを更新し（ステップ３０２Ｂ）、ローカルＨＬＲ１１０Ｂは、プロファイルメッセージをローカルＭＳＣ１０８Ｂに返信して、世界ＮＣＧ１００ＢがローカルＳＩＭ１０６に対するＭＳＣとしてサービスすることを確立し（ステップ３０２Ｃ）、そして、ローカルＭＳＣが、ローカルＳＩＭ１０６Ｂに承認を返信する（ステップ３０２Ｄ）。ローカルＨＬＲ１１０Ｂは、次いで、ローカルＳＩＭ１０６ＢのＭＤＮ（移動ディレクトリ番号）とそのサービングＭＳＣのＩＤとを含むサービスセンタ警告を用いて、ＳＩＭ１０６Ｂがアクティブであることを世界ＮＣＧ１００Ｂに通知する（ステップ３０４）。
【００２３】
世界ＮＣＧ１００Ｂは、ＳＭＳを加入者１１５に発信し、加入者１１５に自分の国内ＭＤＮを求める（ステップ３０６）。この国内ＭＤＮは、標準的な方法を用いて、ローカルＳＭＳＣ１１４Ｂによって、ＳＩＭ１０６Ａに配信される（ステップ３０８）。加入者１１５は、自分の国内ＭＤＮを含むテキストで、ローカルＳＭＳＣ１１４Ｂに応答する（ステップ３１０）。この国内ＭＤＮは、加入者が自分の海外電話番号と関連付けたい国内電話番号である。ローカルＳＭＳＣは、ＳＭＳ返答を世界ＮＣＧ１００Ｂに返信する（ステップ３１２）。
【００２４】
世界ＮＣＧ１００Ｂは、国内ＭＤＮを合致する国内ＮＣＧ１００Ａにマッピングする。世界ＮＣＧ１００Ｂは、次いで、国内ＮＣＧ１００Ａに、ＳＭＳを介して加入者１１５から受信した国内ＭＤＮを含む登録メッセージを送信する（ステップ３１４）。
【００２５】
国内ＮＣＧ１００Ａは、次いで、国内ＨＬＲ１１０Ａを用いて、国内ＭＤＮのロケーションを更新し、国内ＮＣＧ１００Ａが、その番号に対する国内ネットワーク１０２ＡにおけるＭＳＣとしてサービスすることを確立する（ステップ３１６）。国内ＨＬＲ１１０Ａは、加入者の国内ＭＤＮに対するプロファイルを国内ＮＣＧ１００Ａに返信する（ステップ３１８）。
【００２６】
図４を参照すると、一部の例において、発信者４０１は、加入者の国内ＭＤＮをダイヤルして、加入者１１５にコールしようと試みる。しかしながら、加入者１１５は、海外ネットワーク１０２Ｂにいる。この場合、ノーマルなコール設定は、国内ドメイン内で生じる（ステップ４００）。コールは、国内ＭＳＣ１０８Ａへと入り（ステップ４００Ａ）、国内ＭＳＣ１０８Ａは、国内ＨＬＲ１１０Ａにルーティング情報を送信する（ステップ４００Ｂ）。国内ＨＬＲ１１０Ａは、加入者の国内ＭＤＮをルックアップし、国内ＮＣＧ１００Ａがその番号に対し、サービングＭＳＣとして動作していることに気付く。国内ＨＬＲ１１０Ａは、国内ＮＣＧ１００Ａに、コールのためのローミング情報を提供する（ステップ４００Ｃ）。国内ＮＣＧ１００Ａは、コールが国内ＧＷ１０４Ａを介してルーティングされるべきことを国内ＨＬＲ１１０Ａに知らせる（ステップ４００Ｄ）。国内ＨＬＲ１１０Ａは、この情報を国内ＭＳＣ１０８Ａに返信し（ステップ４００Ｅ）、次いで、国内ＭＳＣ１０８Ａは、国内ＧＷ１０４Ａにコールをルーティングする（ステップ４００Ｆ）。
【００２７】
国内ＧＷ１０４Ａは、国内ＮＣＧ１００Ａに、インバイト（Ｉｎｖｉｔｅ）を届け、ＳＩＰフォーマットで、国内ＧＷ１０４Ａはどこにコールをルーティングすべきかに関する情報をリクエストする（ステップ４０２）。国内ＮＣＧ１００Ａは、インバイトを世界ＮＣＧ１００Ｂに渡し、この世界ＮＣＧ１００Ｂは、データベース１１１Ｂ内の国内ＭＤＮをルックアップして、ローカルＳＩＭ１０６Ｂがその国内ＭＤＮと関係することを決定する（ステップ４０４）。
【００２８】
世界ＮＣＧは、今やローカルＳＩＭ１０６Ｂに対するローカルＧ−ＭＳＣとして機能し、標準の「着信コール」ＭＡＰメッセージを、対応するローカルＳＩＭ１０６Ｂに対するローカルＭＤＮルーティング情報を用いて、ローカルＨＬＲ１１０Ｂに発信する（ステップ４０６）。ローカルＨＬＲ１１０Ｂは、ローカルＭＳＣ１０８Ｂにローミング情報を提供し（ステップ４０８）、ローカルＭＳＣ１０８Ｂは、ローカルＳＩＭ１０６Ｂがそのサービスエリア内にあることを確認するメッセージで返答する（ステップ４１０）。ローカルＨＬＲ１１０Ｂは、世界ＮＣＧ１００ＢにＳＲＩ応答を返信し、ローカル１０６Ｂに対してプロパーなローカルＭＳＣ１０８Ｂが位置されていることを示す（ステップ４１２）。世界ＮＣＧ１００Ｂは、国内ＮＣＧ１００Ａに、ＯＫメッセージを、国内ＧＷ１０４ＡがコールをルーティングすべきであるローカルＧＷ１０４Ｂのアイデンティティとともに、返信する（ステップ４１４）。国内ＮＣＧ１００Ａは、国内ＧＷ１０４Ａ上にＯＫメッセージを転送する（ステップ４１６）。
【００２９】
国内ＧＷ１０４Ａは、次いで、ＲＴＰセッション内の正しいローカルＧＷ１０４Ｂにコールを届ける（ステップ４１８）。ローカルＧＷ１０４Ｂは、コールを受信すると、世界ＮＣＧ１００Ｂをクエリして、どこにコールをルーティングするかを決定する。世界ＮＣＧ１００Ｂは、ローカルＳＩＭ１０６Ｂをサービスしている適切なローカルＭＳＣ１０８Ｂで応答する。ローカルＧＷ１０４Ｂは、ローカルＭＳＣ１０８Ｂにコールをルーティングし（ステップ４２４）、ローカルＭＳＣ１０８Ｂは、ローカルＳＩＭ１０６Ｂに警告を送信する（ステップ４２６）。加入者の海外での電話１０６Ｂは、それゆえ、自分のローカルＭＤＮへのコールに応答して鳴る。
【００３０】
加入者１１５が、返答しないか、話し中の場合、世界ＮＣＧ１００Ｂは、ＳＩＰメッセージ（３０２向け直し、図３参照）を使用して、サービシングＭＳＣとして動作し続ける国内ＮＣＧ１００Ａにコールバックを向け直し得る。国内ＮＣＧ１００Ａは、失敗理由に基づくルーティング情報を求めて、国内ＨＬＲ１１０Ａと相互作用し得る。一部の例において、加入者が、コールに応答しないとき、発信者は、加入者の国内ネットワーク１００Ａのボイスメールボックス１１６Ａにルーティングされ得る（図１参照）。標準的な方法を用いて、国内ＮＣＧ１００Ａは、国内ＧＷ１０４Ａに命令して、コールを国内ＭＳＣ１０８Ａを介して、発信者４０１がメッセージを残し得る国内ボイスメールボックス１１６Ｂに転送する。「ボイスメールメッセージ待ち」との表示が、ＳＭＳメッセージとして、国内ＮＣＧ１００Ａに到着する。国内ＮＣＧ１００Ａは、世界ＮＣＧ１００Ｂ上にメッセージを渡し得る。次いで、世界ＮＣＧ１００Ｂは、以下に説明されるように、ＳＭＳをローカルＳＩＭ１０６Ｂに転送する。一部の例において、加入者１１５は、海外ネットワーク１０２Ｂの自分のローカルＳＩＭ１０６Ｂから国内ボイスメールボックス１１６Ａをコールして、このメッセージをチェックする。一部の例において、加入者１１５は、自分が自分の居住国に戻ったときに、自分の国内ＳＩＭ１０６Ａから、自分の国内ボイスメールボックス１１６をコールする。
【００３１】
図５を参照すると、一部の例において、自分のローカルＳＩＭ１０６Ｂで、加入者１１５は、国内ネットワーク１０２Ａ内のエンティティに発信コールをする。加入者１１５は、ＦＣをダイヤルし、引き続き、国番号と、国内ネットワーク１０２Ａの所望のＤＮをダイヤルする（ステップ５００）。海外ＭＳＣ１０８Ｂは、加入者１１５がＦＣを入力して、海外ＧＷ１０４Ｂにコールをルーティングすることを認識する（ステップ５０２）。ローカルＧＷ１０４Ｂは、そのサービングＭＳＣとして、世界ＮＣＧ１００Ｂにインバイトを送信し、どこにコールをルーティングするかを決定する（ステップ５０４）。世界ＮＣＧ１００Ｂは、数字解析を実行し、そのコールが国内ＮＣＧ１００Ａに届けられるべきことを決定する（ステップ５０６）。一部の例において、国内ＮＣＧ１００Ａは、上述のように、ステップ４０６〜４１２と同様のステップを実行して、どこにコールをルーティングするかを決定する。国内ＮＣＧ１００Ａは、ＯＫメッセージを、適切な国内ＧＷ１０４Ａのアイデンティティとともに、世界ＮＣＧ１００Ｂに転送して戻す（ステップ５０８）。この世界ＮＣＧ１００Ｂは、海外ＧＷ１０４Ｂにメッセージを転送して戻す（ステップ５１０）。
【００３２】
ＮＣＧ１００Ａは、海外ＧＷ１０４Ｂと国内ＧＷ１０４Ａとの間のコールを設定する（ステップ５１２）。国内ＧＷ１０４Ａは、次いで、適切な国内サービングＭＳＣ１０８Ａへの標準的な発信ルーティング手順に従う（ステップ５１４）。ＤＮがセルラ番号ではない一部の例において、国内メディアゲートウェーは、標準的な方法を用いて、国内ＰＳＴＮにコールをルーティングする。
【００３３】
海外ネットワーク１０２Ｂにいる加入者１１５は、また、自分の国内ＳＩＭ１０６Ａに向けられる自分のローカルＳＩＭ１０６Ｂ上のＳＭＳメッセージを受信し得る。図６を参照すると、一部の例において、別のユーザまたはコンピュータプログラム６０１のようなデバイスは、ボイスまたは画像データを含むＳＭＳを加入者の国内ＭＤＮに送信する。一部の例のおいて、国内ＭＳＣ１０８Ａは、ＳＭＳを用いて、加入者１１５に「ボイスメールメッセージ待ち」という通告６０３を送信する。別の例において、ＭＭＳ（マルチメディアメッセージングサービス）に対する同様のデータの流れがある。なぜなら、ＭＭＳ通知は、ＳＭＳを経由して行われるからである。
【００３４】
ノーマルなＭＡＰ方法を用いて、国内ＳＭＳＣ１１４Ａは、ＳＭＳメッセージを受信し（ステップ６００）、適切なルーティング情報を求めて、国内ＨＬＲ１１０Ａをクエリする（ステップ６０２）。国内ＨＬＲ１１０Ａは、国内ＳＭＳＣ１１４Ａに、国内ＮＣＧ１００Ａが加入者の国内ＭＤＮのサービスＭＳＣとして機能していることを知らせる（ステップ６０４）。国内ＳＭＳＣ１１４Ａは、国内ＮＣＧ１００Ａにメッセージを配信する（ステップ６０６）。国内ＮＣＧ１００Ａは、ＳＭＳメッセージをＳＩＰフォーマットに変換し、メッセージを世界ＮＣＧ１００Ｂに届ける（ステップ６０８）。世界ＮＣＧ１００Ｂは、その翻訳テーブル内の国内ＭＤＮをルックアップし、その番号を加入者のローカルＭＤＮにマッピングし、ＳＩＰメッセージをＰ２Ｐフォーマットに変換し戻し、適切なローカルＳＭＳＣ１１４Ｂにそのメッセージを転送する（ステップ６１０）。
【００３５】
ローカルＳＭＳＣ１１４Ｂは、ノーマルなＭＡＰ方法を用いて、自身のローカルＳＩＭ１０６Ｂにいる加入者１１５にメッセージを配信する。ローカルＳＭＳＣ１１４Ｂは、適切なルーティング情報を求めて、ローカルＨＬＲ１１０Ｂにクエリする（ステップ６１２）。ローカルＨＬＲ１１０Ｂは、加入者のローカルＭＤＮをサービスするローカルＭＳＣのアイデンティティで応答する（ステップ６１４）。それに応じて、ローカルＳＭＳＣ１１４Ｂは、ローカルＭＳＣ１０８Ｂに、メッセージを転送し（ステップ６１６）、ローカルＭＳＣ１０８Ｂは、標準的な方法を用いて、ローカルＳＩＭ１０６Ｂに、そのメッセージを配信する（ステップ６１８）。ローカルＳＩＭ１０６Ｂは、ローカルＭＳＣ１０８Ｂへのメッセージの受信を承認し（ステップ６２０）、ローカルＭＳＣ１０８Ｂは、この承認をローカルＳＭＳＣに転送する（ステップ６２２）。一部の例において、ＳＭＳへの加入者の応答６２４は、逆の方向で同様の経路に従う。
【００３６】
他の実施形態も、添付の特許請求の範囲内に収まる。
【００３７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００３８】
【図１】ネットワークを示す。
【図２】ネットワークを示す。
【図３】流れ図を示す。
【図４】流れ図を示す。
【図５】流れ図を示す。
【図６】流れ図を示す。
【符号の説明】
【００３９】
１００  ネットワーク収束ゲートウェー（ＮＣＧ）
１０２Ａ、１０２Ｂ  ネットワーク
１０３  インターネット
１０４Ａ、１０４Ｂ  メディアゲートウェー（ＭＧＷ）
１０５Ａ、１０５Ｂ  セルラ電話
１０６Ａ，１０６Ｂ  ＳＩＭカード１０６
１０８Ａ、１０８Ｂ  移動サービス交換センタ（ＭＳＣ）
１１０Ａ、１１０Ｂ  ホームロケーションレジスタ（ＨＬＲ）
１１１Ｂ  データベース
１１２Ａ、１１２Ｂ  基地局コントローラ（ＢＳＣ）
１１４Ａ、１１４Ｂ  ショートメッセージサービスセンタ（ＳＭＳＣ）
１１５  加入者
１１６Ａ、１１６Ｂ  ボイスメールボックス（ＶＭ）
１１７Ａ、１１７Ｂ  基地トランシーバ局（ＢＴＳ）
【図２】
2007282239.tif 000003
【図３】
2007282239.tif 000004
【図４】
2007282239.tif 000005
【図５】
2007282239.tif 000006
【図６】
2007282239.tif 000007
【図１】
2007282239.tif 000008